(57)【要約】【課題】  専用の処理を加えることなく、代理ダイヤルサーバ装置からの発信要求を代理ダイヤルサーバ装置が指定する発信者番号で認証可能な通話システムを提供する。【解決手段】  代理ダイヤルサーバ装置１では、まず、電話サーバ装置２に対して利用者の電話番号に対しての呼出し要求を行う。この際に、代理ダイヤルサーバ装置１は発信者ＩＤとして利用者の電話番号を使用する。呼出し要求を受けた電話サーバ装置２は発信者ＩＤに対して認証を行うために、代理ダイヤルサーバ装置１へ認証チャレンジを送信する。認証チャレンジを受信した代理ダイヤルサーバ装置１は、利用者の電話番号に対して予め登録されたユーザＩＤ、パスワードを用いてレスポンスを生成することで、電話サーバ装置１による認証が成功し、利用者の電話番号に対して着信可能となる。【選択図】      図１
2006295673.tif 000002
【特許請求の範囲】
【請求項１】
発信端末と着信端末との間で電話サーバ装置の制御に基づく二者間の通話を行う際の発信動作を代理ダイヤルサーバ装置にて代行する通話システムであって、
前記代理ダイヤルサーバ装置が、発信者側の情報を基に前記発信端末の呼出し要求及び着信端末の呼出し要求を前記電話サーバ装置に発信する手段と、当該呼出し要求に対する前記電話サーバ装置からの認証要求に対する認証データを前記発信者側の情報を基に作成して前記電話サーバ装置に発信する手段とを有することを特徴とする通話システム。
【請求項２】
前記発信者側の情報は、少なくともネットワーク機器の認証処理に利用する前記発信者側のユーザ識別情報及びパスワードを含むことを特徴とする請求項１記載の通話システム。
【請求項３】
前記電話サーバ装置は、前記代理ダイヤルサーバ装置からの発信を通常端末からの発信と同様に扱うことを特徴とする請求項１または請求項２記載の通話システム。
【請求項４】
前記代理ダイヤルサーバ装置は、前記発信端末以外の手段による前記着信端末への接続要求の入力時に前記呼出し要求及び前記認証データを前記電話サーバ装置に送信することを特徴とする請求項１から請求項３のいずれか記載の通話システム。
【請求項５】
前記発信端末以外の手段は、少なくともブラウザソフトウェアから発信を指示する手段及び発信時間が登録される時刻起動発信プログラムを実行する手段を含むことを特徴とする請求項４記載の通話システム。
【請求項６】
発信端末と着信端末との間で電話サーバ装置の制御に基づく二者間の通話を行う際の発信動作を代行する代理ダイヤルサーバ装置であって、
発信者側の情報を基に前記発信端末の呼出し要求及び着信端末の呼出し要求を前記電話サーバ装置に発信する手段と、当該呼出し要求に対する前記電話サーバ装置からの認証要求に対する認証データを前記発信者側の情報を基に作成して前記電話サーバ装置に発信する手段とを有することを特徴とする代理ダイヤルサーバ装置。
【請求項７】
前記発信者側の情報は、少なくともネットワーク機器の認証処理に利用する前記発信者側のユーザ識別情報及びパスワードを含むことを特徴とする請求項６記載の代理ダイヤルサーバ装置。
【請求項８】
前記電話サーバ装置が、自装置からの発信を通常端末からの発信と同様に扱うことを特徴とする請求項６または請求項７記載の代理ダイヤルサーバ装置。
【請求項９】
前記発信端末以外の手段による前記着信端末への接続要求の入力時に前記呼出し要求及び前記認証データを前記電話サーバ装置に送信することを特徴とする請求項６から請求項８のいずれか記載の代理ダイヤルサーバ装置。
【請求項１０】
前記発信端末以外の手段は、少なくともブラウザソフトウェアから発信を指示する手段及び発信時間が登録される時刻起動発信プログラムを実行する手段を含むことを特徴とする請求項９記載の代理ダイヤルサーバ装置。
【請求項１１】
発信端末と着信端末との間で電話サーバ装置の制御に基づく二者間の通話を行う際の発信動作を代理ダイヤルサーバ装置にて代行する通話システムに用いられる代理ダイヤル方法であって、
前記代理ダイヤルサーバ装置が、発信者側の情報を基に前記発信端末の呼出し要求及び着信端末の呼出し要求を前記電話サーバ装置に発信する処理と、当該呼出し要求に対する前記電話サーバ装置からの認証要求に対する認証データを前記発信者側の情報を基に作成して前記電話サーバ装置に発信する処理とを実行することを特徴とする代理ダイヤル方法。
【請求項１２】
前記発信者側の情報は、少なくともネットワーク機器の認証処理に利用する前記発信者側のユーザ識別情報及びパスワードを含むことを特徴とする請求項１１記載の代理ダイヤル方法。
【請求項１３】
前記電話サーバ装置が、前記代理ダイヤルサーバ装置からの発信を通常端末からの発信と同様に扱うことを特徴とする請求項１１または請求項１２記載の代理ダイヤル方法。
【請求項１４】
前記代理ダイヤルサーバ装置が、前記発信端末以外の手段による前記着信端末への接続要求の入力時に前記呼出し要求及び前記認証データを前記電話サーバ装置に送信することを特徴とする請求項１１から請求項１３のいずれか記載の代理ダイヤル方法。
【請求項１５】
前記発信端末以外の手段が、少なくともブラウザソフトウェアから発信を指示する手段及び発信時間が登録される時刻起動発信プログラムを実行する手段を含むことを特徴とする請求項１４記載の代理ダイヤル方法。
【請求項１６】
発信端末と着信端末との間で電話サーバ装置の制御に基づく二者間の通話を行う際の発信動作を代理ダイヤルサーバ装置にて代行する通話システムに用いられる代理ダイヤル方法のプログラムであって、前記代理ダイヤルサーバ装置のコンピュータに、発信者側の情報を基に前記発信端末の呼出し要求及び着信端末の呼出し要求を前記電話サーバ装置に発信する処理と、当該呼出し要求に対する前記電話サーバ装置からの認証要求に対する認証データを前記発信者側の情報を基に作成して前記電話サーバ装置に発信する処理とを実行させるためのプログラム。
【発明の詳細な説明】
【技術分野】
【０００１】
本発明は通話システム、代理ダイヤルサーバ装置及びそれらに用いる代理ダイヤル方法並びにそのプログラムに関し、特に発信端末の代わりに着信端末へのダイヤルを行う代理ダイヤルシステムに関する。
【背景技術】
【０００２】
従来、代理ダイヤルシステムとしては、インタネット（Ｉｎｔｅｒｎｅｔ）に接続可能なＨＴＴＰ（Ｈｙｐｅｒ  Ｔｅｘｔ  Ｔｒａｎｓｆｅｒ  Ｐｒｏｔｏｃｏｌ）サーバ手段と、ユーザ認証手段と、ユーザアカウントからユーザの加入者番号を検索する手段と、インタネット上の端末から所定の操作によって接続相手先が入力されると、呼制御部に対してコマンドを作成送出する手段と、そのコマンドにしたがって発呼する発呼手段と、接続相手先とユーザの加入者端末とを接続する接続手段とから構成されるシステムがある（例えば、特許文献１参照）。
【０００３】
この代理ダイヤルシステムでは、公衆網に接続された交換装置が想定されているが、代理ダイヤルシステムを既存のＩＰ（Ｉｎｔｅｒｎｅｔ  Ｐｒｏｔｏｃｏｌ）電話システムに適用した場合、既存のＩＰ電話システムで提供する常時非通知サービスのような様々な機能を代理ダイヤルシステムの使用時にも利用可能とするために、代理ダイヤルシステムからの発信を該当加入者からの発信として扱う必要がある。その場合に、一般的に、ＩＰ電話システムにおいて加入者からの発信時に行われる認証処理に代理ダイヤルシステムで対応する仕組みが必要となる。
【０００４】
【特許文献１】特開２００４−２３６１５８号公報
【発明の開示】
【発明が解決しようとする課題】
【０００５】
通常の二者間の通話では、発信者と着信者とが存在し、発信者の電話機及び発信者の情報を通信事業者や着信者に伝える電話番号等の識別子が通信事業者のネットワーク機器によって認証され、発信を許可された場合にのみ通話が可能となる。
【０００６】
例えば、ＳＩＰ（Ｓｅｓｓｉｏｎ  Ｉｎｉｔｉａｔｉｏｎ  Ｐｒｏｔｏｃｏｌ）（ＲＦＣ３２６１）を用いたＩＰ電話システムでは、標準化された認証の仕組み（ＨＴＴＰ  Ｄｉｇｅｓｔ認証）でパスワード認証を実施し、発信者を特定、通話の認可等をＩＰ電話サーバが行っている。
【０００７】
これに対し、第三者から二者間の通話を実現する代理ダイヤルシステムでは、例えば、ＷＥＢアプリケーション等のプログラムが発信者と着信者との二者を指定し、二者間の接続を実現するシステムであり、発信者の意思とは無関係に、全くの他人である第三者が発信者になりすまして二者間の接続を実現してしまう危険性がある。
【０００８】
この危険性を回避するために、従来の代理ダイヤルシステムでは、通信事業者のネットワーク機器とは別の仕組みで第三者を特定し、第三者が発信者の代わりに発信動作を実施して良いかどうかを通信事業者のネットワーク機器に問い合わせる等の認証処理によって確認する必要がある。
【０００９】
そこで、本発明の目的は上記の問題点を解消し、専用の処理を加えることなく、代理ダイヤルサーバ装置からの発信要求を代理ダイヤルサーバ装置が指定する発信者番号で認証することができる通話システム、代理ダイヤルサーバ装置及びそれらに用いる代理ダイヤル方法並びにそのプログラムを提供することにある。
【課題を解決するための手段】
【００１０】
本発明による通話システムは、発信端末と着信端末との間で電話サーバ装置の制御に基づく二者間の通話を行う際の発信動作を代理ダイヤルサーバ装置にて代行する通話システムであって、
前記代理ダイヤルサーバ装置が、発信者側の情報を基に前記発信端末の呼出し要求及び着信端末の呼出し要求を前記電話サーバ装置に発信する手段と、当該呼出し要求に対する前記電話サーバ装置からの認証要求に対する認証データを前記発信者側の情報を基に作成して前記電話サーバ装置に発信する手段とを備えている。
【００１１】
本発明による代理ダイヤルサーバ装置は、発信端末と着信端末との間で電話サーバ装置の制御に基づく二者間の通話を行う際の発信動作を代行する代理ダイヤルサーバ装置であって、
発信者側の情報を基に前記発信端末の呼出し要求及び着信端末の呼出し要求を前記電話サーバ装置に発信する手段と、当該呼出し要求に対する前記電話サーバ装置からの認証要求に対する認証データを前記発信者側の情報を基に作成して前記電話サーバ装置に発信する手段とを備えている。
【００１２】
本発明による代理ダイヤル方法は、発信端末と着信端末との間で電話サーバ装置の制御に基づく二者間の通話を行う際の発信動作を代理ダイヤルサーバ装置にて代行する通話システムに用いられる代理ダイヤル方法であって、
前記代理ダイヤルサーバ装置が、発信者側の情報を基に前記発信端末の呼出し要求及び着信端末の呼出し要求を前記電話サーバ装置に発信する処理と、当該呼出し要求に対する前記電話サーバ装置からの認証要求に対する認証データを前記発信者側の情報を基に作成して前記電話サーバ装置に発信する処理とを実行している。
【００１３】
本発明による代理ダイヤル方法のプログラムは、発信端末と着信端末との間で電話サーバ装置の制御に基づく二者間の通話を行う際の発信動作を代理ダイヤルサーバ装置にて代行する通話システムに用いられる代理ダイヤル方法のプログラムであって、前記代理ダイヤルサーバ装置のコンピュータに、発信者側の情報を基に前記発信端末の呼出し要求及び着信端末の呼出し要求を前記電話サーバ装置に発信する処理と、当該呼出し要求に対する前記電話サーバ装置からの認証要求に対する認証データを前記発信者側の情報を基に作成して前記電話サーバ装置に発信する処理とを実行させている。
【００１４】
すなわち、本発明の通話システムは、二者間の通話を第三者から接続させる際に、第三者が発信者の代わりに発信動作を実施して良いかどうかを認証する手段を提供するものである。
【００１５】
本発明の通話システムでは、第三者による発信者と着信者とを指定した発信を実施する際に、ネットワーク機器の認証処理に利用するユーザＩＤとパスワードとを用いることで、第三者の認証と電話発信時の発信者の電話機及び発信者の情報とを通信事業者や着信者に伝える電話番号等の識別子の認証を共通的に実施することが可能となる。
【００１６】
これによって、本発明の通話システムでは、電話サーバ装置が通常の端末からの発信時の認証処理を利用することによって、電話サーバ装置に専用の処理を加えることなく、代理ダイヤルサーバ装置からの発信要求を代理ダイヤルサーバ装置が指定する発信者番号で認証することが可能となる。
【００１７】
この効果によって、本発明の通話システムでは、代理ダイヤルサーバ装置を追加しても、代理ダイヤルサーバ装置からの発信処理自体を電話サーバ装置で設定している認証ポリシーで運用することが可能となる。
【００１８】
また、本発明の通話システムでは、電話サーバ装置が代理ダイヤルサーバ装置からの発信を通常の端末からの発信と同様に扱うことで、電話サーバ装置に専用の処理を加えることなく、代理ダイヤルサーバ装置からの発信であっても、代理ダイヤルサーバ装置が指定する発信者番号のサービス起動を認可し、発信者が通常利用しているサービスを代理ダイヤルサーバ装置経由でも利用可能となる。
【００１９】
この効果によって、本発明の通話システムでは、発信者がＷＥＢブラウザから発信を指示した場合や発信者が時刻起動発信プログラムに発信時間を登録するような場合でも、発信者番号の通知／非通知の制御等の発信者向けに電話サーバ装置が提供しているサービスの利用を認可し、利用することが可能となる。
【発明の効果】
【００２０】
本発明は、以下に述べるような構成及び動作とすることで、専用の処理を加えることなく、代理ダイヤルサーバ装置からの発信要求を代理ダイヤルサーバ装置が指定する発信者番号で認証することができるという効果が得られる。
【発明を実施するための最良の形態】
【００２１】
次に、本発明の実施の形態について図面を参照して説明する。図１は本発明の実施の形態による通話システムの構成を示すブロック図である。図１において、本発明の実施の形態による通話システムは代理ダイヤルサーバ装置１と、電話サーバ装置２と、発信者側の発信端末３１、発信起動端末３２、発信起動プログラム３３１を搭載する情報処理装置３３と、着信者側の着信端末４１とから構成されている。
【００２２】
発信端末３１の利用者はＰＣ（パーソナルコンピュータ）（発信起動端末３２または情報処理装置３３）のＷＥＢクライアントからＷＥＢブラウザを起動し、ＷＥＢサーバ（図示せず）にアクセスを行う。ＷＥＢサーバでは利用者の認証を行い、認証成功時に利用者に対してアクセスの許可を行う。利用者はＷＥＢ画面上で通話を行いたい相手の電話番号をクリックする。
【００２３】
利用者のクリックを契機にＷＥＢサーバはユーザ認証の結果として特定されかつ予め登録された利用者の電話番号とクリックされた電話番号とを代理ダイヤルサーバ装置１に通知して接続要求を行う。
【００２４】
代理ダイヤルサーバ装置１では、まず、電話サーバ装置２に対して利用者の電話番号に対しての呼出し要求を行う。この際に、代理ダイヤルサーバ装置１は発信者ＩＤとして利用者の電話番号を使用する。
【００２５】
呼出し要求を受けた電話サーバ装置２は発信者ＩＤに対して認証を行うために、代理ダイヤルサーバ装置１へ認証チャレンジを送信する。認証チャレンジを受信した代理ダイヤルサーバ装置１は、利用者の電話番号に対して予め登録されたユーザＩＤ、パスワードを用いてレスポンスを生成することで、電話サーバ装置１による認証が成功し、利用者の電話番号に対して着信可能となる。
【００２６】
その際、使用するユーザＩＤ、パスワードは利用者の電話番号と同様に、ＷＥＢサーバで管理され、代理ダイヤルサーバ装置１に通知される方法であってもよいし、利用者の電話番号やユーザＩＤ、及びパスワードを全て利用者が入力する方法であってもよい。また、本ユーザＩＤ及びパスワードがＷＥＢサーバでのユーザ認証に使用されるユーザＩＤ及びパスワードと共通とする方法も考えられる。
【００２７】
上記のクリックされた電話番号に対して着信を行う際にも、発信の処理動作と同様に、代理ダイヤルサーバ装置１が発信者ＩＤとしてユーザの電話番号を使用して電話サーバ装置２に対して呼出し要求を行う。呼出し要求を受けた電話サーバ装置２は発信者ＩＤに対して認証を行うために、代理ダイヤルサーバ装置１へ認証チャレンジを送信する。認証チャレンジを受信した代理ダイヤルサーバ装置１は、利用者の電話番号に対して予め登録されたユーザ名、パスワードを用いてレスポンスを生成することで、電話サーバ装置２による認証が成功し、クリックされた電話番号に対して着信可能となる。
【００２８】
ここで、ＷＥＢサーバにおけるユーザの認証処理及び代理ダイヤルサーバ装置１における呼出しを行った端末同士を接続する処理については、本発明に直接関係するものではないので、それらの説明については省略する。
【実施例１】
【００２９】
次に、本発明の一実施例について図面を参照して説明する。図２は本発明の一実施例による代理ダイヤルサーバ装置の構成を示すブロック図である。尚、本発明の一実施例による通話システムは上記の図１に示す本発明の実施の形態による通話システムと同様の構成となっており、図２に示す本発明の一実施例による代理ダイヤルサーバ装置は図１の代理ダイヤルサーバ装置１に対応する。
【００３０】
図２において、代理ダイヤルサーバ装置１は装置全体の制御及び各種処理を実行するＣＰＵ（中央処理装置）１１と、ＣＰＵ１１が実行する制御プログラム１２ａを格納するメインメモリ１２と、利用者の情報（電話番号、ユーザＩＤ、パスワード等）を保持する利用者情報保持部１３１を持つ記憶装置１３と、発信者側の端末との間の通信を制御する端末側通信制御部１４と、電話サーバ装置２や上記のＷＥＢサーバとの間の通信を制御するサーバ側通信制御部１５とから構成されている。尚、ＣＰＵ１１と、メインメモリ１２と、記憶装置１３と、端末側通信制御部１４と、サーバ側通信制御部１５とは内部バス１１０によって相互に接続されている。
【００３１】
電話サーバ装置２はプログラム制御によって動作するコンピュータであり、代理ダイヤルサーバ装置１は発信端末３１以外の発信起動端末３２や発信起動プログラム３３１からの要求を受けて発信者になり代わって発信端末３１から着信端末４１への発信動作の代理を行う。
【００３２】
ここで、電話サーバ装置２は発信端末３１や着信端末４１のＩＰアドレス等の端末を特定する情報や、発信者の情報を着信者に伝える電話番号等の識別子を管理し、発信端末３１から着信端末４１への電話発信時に、両者を接続する機能を具備している。
【００３３】
また、電話サーバ装置２は認証データ管理部２１で発信端末３１を利用している発信者を特定するためのユーザ名、パスワード等の認証データ２１１を保持し、発信端末３１からの発信時にその認証データ２１１に基づいて認証を行う機能を具備している。
【００３４】
通常の電話サーバ装置２を用いた発信端末３１から着信端末４１への発信の際には、発信端末３１が着信端末４１を指定する電話番号等の識別子の他、発信端末３１で予め管理されているユーザ名、パスワード等の認証データ３１１を電話サーバ装置２に送信する。そして、電話サーバ装置２は電話認証データ管理部２１で管理するユーザ名、パスワード等の認証データ２１１を、発信端末３１から送信された認証データ３１１と比較することによって、発信端末３１であることの認証と着信端末４１への発信に対する認可とを行う。
【００３５】
この認証及び認可の処理が行われることで、着信端末４１への着信が、発信端末３１からの発信であることが保障され、例えば着信端末４１に対して発信端末３１の電話番号等の識別子等を電話サーバ装置２が送信し、着信端末４１に対して発信端末３１の情報を通知することが可能であり、着信者は発信者からの発信であることを認知することができる。
【００３６】
上記のような構成の通話システムにおいて、本発明における代理ダイヤルサーバ装置１は発信者の発信端末３１以外の装置である発信起動端末３２からの要求や発信起動プログラム３３によって送信される要求にしたがって、発信端末３１から着信端末４１への発信を、発信者の持つ認証データ３１１を用いて電話サーバ装置２に認証して貰った上で実行する機能を具備している。
【００３７】
例えば、発信起動端末３２からの要求は、発信者がコンピュータの画面で見ているＷＷＷブラウザ上の着信者の情報をクリックすることで送信される。また、発信起動プログラム３３からの要求は、予め指定された着信者の情報が、ある時間になると自動的に送信される。
【００３８】
代理ダイヤルサーバ装置１によって発信端末３１から着信端末４１への通話を実現する仕組みは、代理ダイヤルサーバ装置１が発信端末３１と着信端末４１との両方を呼出し、両方の端末が通話可能な状態になった時点で、それら両端末同士を接続させる処理によって実現することにある。この両端末同士を接続させる処理自体はどのような方法でもよく、本発明に直接関連しないので、その動作についての説明は省略する。
【００３９】
図３は本発明の一実施例による通話システムにおける端末間の接続動作を示すシーケンスチャートであり、図４は図２の代理ダイヤルサーバ装置１の動作を示すフローチャートである。これら図１〜図４を参照して本発明の一実施例による通話システムにおける端末間の接続動作について説明する。尚、図４に示す処理は代理ダイヤルサーバ装置１のＣＰＵ１１が制御プログラム１２ａを実行することで実現される。
【００４０】
まず、代理ダイヤルサーバ装置１は発信起動端末３２や発信起動プログラム３３から、発信端末３１から着信端末４１への発信要求を受信すると（図３のａ１、図４ステップＳ１）、発信者からの発信であることを認証するために、発信端末３１からの発信の場合と同様に、発信時の認証処理１０１を実施する（図３のａ２〜ａ５、図４ステップＳ２〜Ｓ５）。
【００４１】
つまり、代理ダイヤルサーバ装置１は発信端末３１の呼出し要求を電話サーバ装置２に発信した後に（図３のａ２、図４ステップＳ２）、電話サーバ装置２から認証チャレンジを受信すると（図３のａ３、図４ステップＳ３）、発信端末３１で予め管理されているユーザ名、パスワード等の認証データ３１１と全く同じ認証データ（利用者情報保持部１３１の保持情報を基に作成した認証データ）を電話サーバ装置２に送信する（図３のａ４、図４ステップＳ４，Ｓ５）。
【００４２】
これによって、この時の代理ダイヤルサーバ装置１は電話サーバ装置２において発信者端末３１として扱われる。その際、代理ダイヤルサーバ装置１は電話サーバ装置２から発信端末３１への呼出し要求に対して発信端末３１からの応答が返ってくると（図３のａ６、図４ステップＳ６）、発信端末３１の呼出し処理を終了する。
【００４３】
次に、代理ダイヤルサーバ装置１は着信端末４１への発信時にも、発信端末３１で予め管理されているユーザ名、パスワード等の全く同じ認証データを電話サーバ装置２に送信する（図３のａ８〜ａ９、図４ステップＳ７〜Ｓ１０）。このユーザ名、パスワード等は、発信起動端末３２において発信者が入力してもよいし、発信起動プログラム３３で予め発信者が設定してある情報でもよい。
【００４４】
これによって、この時の代理ダイヤルサーバ装置１は電話サーバ装置２において発信者端末３１として扱われる。その際、代理ダイヤルサーバ装置１は電話サーバ装置２から発信端末４１への呼出し要求に対して発信端末４１からの応答が返ってくると（図３のａ１３、図４ステップＳ１１）、発信端末４１の呼出し処理を終了する。
【００４５】
代理ダイヤルサーバ装置１は発信端末３１と着信端末４１との両方の端末が通話可能な状態になった時点で、両端末同士を接続させる処理を実施し（図３のａ１４，ａ１５、図４ステップＳ１２）、発信端末３１と着信端末４１との間で通話が可能となる（図３のａ１６）。
【００４６】
このように、本実施例では、代理ダイヤルサーバ装置１が発信端末３１からの発信の場合と同様に、発信時の認証処理１０１を実施しているので、代理ダイヤルサーバ装置１による発信端末３１から着信端末４１への発信動作を発信者からの要求であることを、電話サーバ装置２に特別の認証認可処理を設けることなく、電話サーバ装置２側で保障することができる。
【００４７】
また、本実施例では、代理ダイヤルサーバ装置１から着信端末４１への発信の際に、発信端末３１からの発信としてみなされるように構成されているため、発信者番号通知や接続規制等の電話サーバ装置２が従来、発信端末３１に提供していたサービスをそのまま実行することができる。
【実施例２】
【００４８】
次に、本発明の他の実施例について図面を参照して説明する。図５は本発明の他の実施例による通話システムの構成を示すブロック図である。図５において、本発明の他の実施例による通話システムは、代理ダイヤルサーバ装置１が、実際に通話を実施する発信端末３１及び着信端末４１以外の第三者のユーザ名、パスワード等の認証データ５１１を管理し、その認証データ５１１を第三者端末５１，６１，７１のデータとして電話サーバ装置２に登録するようにした以外は上記の図１に示す本発明の実施の形態による通話システムと同様の構成となっており、同一構成要素には同一符号を付してある。
【００４９】
代理ダイヤルサーバ装置１は、実際に通話を実施する発信端末３１及び着信端末４１以外の第三者のユーザ名、パスワード等の認証データ５１１を管理し、その認証データ５１１を第三者端末５１，６１，７１のデータとして電話サーバ装置２に登録することによって、電話サーバ装置２からみた場合に、第三者端末５１，６１，７１を一つの端末と同等の扱いが可能となる。すなわち、この構成では代理ダイヤルサーバ装置１が一つの端末の扱いとなり、実際の発信端末３１及び着信端末４１への呼出処理の際に、第三者端末５１，６１，７１からの発信のように呼び出される。
【００５０】
代理ダイヤルサーバ装置１が、別の仕組みで第三者端末５１，６１，７１の利用ユーザを認証し、サービス起動を認可することで、不特定多数のユーザが、発信者端末３１及び着信端末４１の接続を実現することが可能となる。すなわち、本実施例では、代理ダイヤルサーバ装置１が第三者の代理となって発信処理の実行の責任を持つことになる。
【産業上の利用可能性】
【００５１】
本発明は、既存のＩＰ電話システムへ上記のシステムをアドオンするだけで、ＩＰ電話システムの機能に変更を行うことなく、ＷＥＢシステムの電話帳を利用したワンクリックによる呼接続機能の実現といった用途に適用することができる。
【図面の簡単な説明】
【００５２】
【図１】本発明の実施の形態による通話システムの構成を示すブロック図である。
【図２】本発明の一実施例による代理ダイヤルサーバ装置の構成を示すブロック図である。
【図３】本発明の一実施例による通話システムにおける端末間の接続動作を示すシーケンスチャートである。
【図４】図２の代理ダイヤルサーバ装置の動作を示すフローチャートである。
【図５】本発明の他の実施例による通話システムの構成を示すブロック図である。
【符号の説明】
【００５３】
１  代理ダイヤルサーバ装置
２  電話サーバ装置
１１  ＣＰＵ
１２  メインメモリ
１２ａ  制御プログラム
１３  を持つ記憶装置
１４  端末側通信制御部
１５  サーバ側通信制御部
３１  発信端末
３２  発信起動端末
３３  情報処理装置
４１  着信端末
５１，６１，７１  第三者端末
１０１  発信時の認証処理
１１０  内部バス
１３１  利用者情報保持部
３１１，５１１  認証データ
３３１  発信起動プログラム
【図１】
2006295673.tif 000003
【図２】
2006295673.tif 000004
【図３】
2006295673.tif 000005
【図４】
2006295673.tif 000006
【図５】
2006295673.tif 000007